(57)【要約】【課題】意図しない分解を抑止できるコマ玩具を提供すること。【解決手段】上向き面と上下動自在の棒状軸とが形成された上側部分と、下向き面と前記棒状軸が挿通可能な筒状軸とが形成された下側部分とを備え、前記上向き面と前記下側部分の前記下向き面とを当接させることで前記上側部分と前記下側部分とが結合され、前記上側部分と前記下側部分とが所定方向に相対回転して結合が解除される構造を有し、棒状軸が下降位置にあるときに筒状軸の下端から突出して前記相対回転を阻止し、棒状軸が接地されときに上動して結合を解除する。【選択図】図４
2020137536.tif 000002
【特許請求の範囲】
【請求項１】
上向き面と上下動自在の棒状軸とが形成された上側部分と、下向き面と前記棒状軸が挿通可能な筒状軸とが形成された下側部分とを備え、前記上側部分と前記下側部分とを軸心方向から突き合わせた状態で前記上側部分の前記上向き面と前記下側部分の前記下向き面とを当接させることで前記上側部分と前記下側部分とが結合され、外部衝撃が前記上側部分に作用した際に前記上側部分と前記下側部分とが所定方向に相対回転して結合が解除される構造を有するコマ玩具であって、
前記棒状軸は、前記上側部分と前記下側部分とが結合し且つ非接地の状態にあるときに、下降位置を取って前記筒状軸の下端から突出するように構成され、前記棒状軸には第１の係合部が形成され、
前記下側部分には、前記棒状軸が前記下降位置を取るときに前記第１の係合部と係合して前記上側部分と前記下側部分との相対回転を阻止すると共に、前記上側部分と前記下側部分とが結合した状態で前記棒状軸が接地されときに前記上側部分に対して上動して前記第１の係合部との係合を解除する第２の係合部が設けられている、
ことを特徴とするコマ玩具。
【請求項２】
前記筒状軸は、下側部分本体に対して上下動可能に設けられると共にスプリングの付勢力によって下方に向けて付勢され、前記下側部分本体又は前記筒状軸には前記第２の係合部が設けられ、前記筒状軸を前記スプリングの付勢力に抗して前記下側部分本体に対して上動させることで前記上側部分の前記上向き面と前記下側部分の前記下向き面とが当接することを特徴とする請求項１に記載のコマ玩具。
【請求項３】
前記コマ玩具は、第１のコマ玩具及び第２のコマ玩具から構成される合体型のコマ玩具であり、前記上側部分は前記第１のコマ玩具であり、前記下側部分は前記第２のコマ玩具であることを特徴とする請求項２に記載のコマ玩具。
【請求項４】
前記下側部分本体は前記第２のコマ玩具の胴体であり、前記上向き面と前記下側部分の前記下向き面との当接が解除されたときに、前記スプリングの付勢力で前記第２のコマ玩具の前記胴体を押し上げて前記第１のコマ玩具を飛ばすことを特徴とする請求項３に記載のコマ玩具。
【発明の詳細な説明】
【技術分野】
【０００１】
本発明はコマ玩具に関する。
【背景技術】
【０００２】
従来、コマ玩具として、第１の爪が形成された胴体と、第２の爪が形成された軸部とを備え、胴体と軸部とを軸心方向から突き合わせた状態で胴体側の第１の爪の上面と軸部側の第２の爪の下面とを当接させることで胴体と軸部とが結合され、外部衝撃が胴体に作用した際に胴体と軸部とが相対回転して結合が解除して分解される構造を有するコマ玩具が知られている（例えば、特許文献１参照）。
【先行技術文献】
【特許文献】
【０００３】
【特許文献１】特許第５７９３６３１号公報
【発明の概要】
【発明が解決しようとする課題】
【０００４】
しかしながら、コマ玩具をフィールドに放った場合だけでなく、胴体と軸部とを相対回転するような外力が作用する場合がある。例えば、胴体及び軸部の一方だけを持ってコマ玩具を取り扱うような場合である。具体的には、胴体及び軸部をランチャに取り付ける場合である。このような場合、胴体と軸部とが結合を解除する方向に相対回転し、意図しない分解が起こる危険性があった。このような危険性は、胴体と軸部との間だけでなく、２つのコマ玩具を結合させた合体型のコマ玩具の場合にも生じる。
本発明は、かかる課題に鑑みなされたもので、意図しない分解を抑止できるコマ玩具を提供することを目的としている。
【課題を解決するための手段】
【０００５】
第１の手段は、
上向き面と上下動自在の棒状軸とが形成された上側部分と、下向き面と前記棒状軸が挿通可能な筒状軸とが形成された下側部分とを備え、前記上側部分と前記下側部分とを軸心方向から突き合わせた状態で前記上側部分の前記上向き面と前記下側部分の前記下向き面とを当接させることで前記上側部分と前記下側部分とが結合され、外部衝撃が前記上側部分に作用した際に前記上側部分と前記下側部分とが所定方向に相対回転して結合が解除される構造を有するコマ玩具であって、
前記棒状軸は、前記上側部分と前記下側部分とが結合し且つ非接地の状態にあるときに、下降位置を取って前記筒状軸の下端から突出するように構成され、前記棒状軸には第１の係合部が形成され、
前記下側部分には、前記棒状軸が前記下降位置を取るときに前記第１の係合部と係合して前記上側部分と前記下側部分との相対回転を阻止すると共に、前記上側部分と前記下側部分とが結合した状態で前記棒状軸が接地されときに前記上側部分に対して上動して前記第１の係合部との係合を解除する第２の係合部が設けられている、
ことを特徴とする。
【０００６】
第２の手段は、第１の手段であって、前記筒状軸は、下側部分本体に対して上下動可能に設けられると共にスプリングの付勢力によって下方に向けて付勢され、前記下側部分本体又は前記筒状軸には前記第２の係合部が設けられ、前記筒状軸を前記スプリングの付勢力に抗して前記下側部分本体に対して上動させることで前記上側部分の前記上向き面と前記下側部分の前記下向き面とが当接することを特徴とする。
【０００７】
第３の手段は、第２の手段であって、前記コマ玩具は、第１のコマ玩具及び第２のコマ玩具から構成される合体型のコマ玩具であり、前記上側部分は前記第１のコマ玩具であり、前記下側部分は前記第２のコマ玩具であることを特徴とする。
【０００８】
第４の手段は、第３の手段であって、前記下側部分本体は前記第２のコマ玩具の胴体であり、前記上向き面と前記下側部分の前記下向き面との当接が解除されたときに、前記スプリングの付勢力で前記第２のコマ玩具の前記胴体を押し上げて前記第１のコマ玩具を飛ばすことを特徴とする。
【発明の効果】
【０００９】
第１の手段によれば、第１の係合部と第２の係合部とは、棒状軸が非接地のときには、第１の係合部と第２の係合部とが係合して上側部分と下側部分との相対回転が阻止されるので、意図しない上側部分と下側部分との分解を抑止することができる。一方で、棒状軸が接地されると、棒状軸が上動して第１の係合部と第２の係合部とが係合が自動的に解除されるので、所望の遊びを楽しむことができる。
【００１０】
第２の手段によれば、上側部分と下側部分との結合時に、スプリングが蓄勢されるので、上側部分の上向き面と下側部分の下向き面との当接が解除された際に、上側部分を飛ばすことができる。
【００１１】
第３の手段によれば、第１のコマ玩具と第２のコマ玩具との意図しない分解を抑止することができる。
【００１２】
第４の手段によれば、第１のコマ玩具と第２のコマ玩具との分解が容易に行えることになる。
【図面の簡単な説明】
【００１３】
【図１】本発明に係るコマ玩具の第１段階目の分解の様子を示した斜視図である。
【図２】第１のコマ玩具の第２段階目の分解の様子を示した斜視図である。
【図３】第１のコマ玩具の軸部を示した斜視図である。
【図４】第１のコマ玩具の軸部の半部を示した分解斜視図である。
【図５】第１のコマ玩具の胴体及び性能可変リングの半部を示した分解斜視図である。
【図６】第２のコマ玩具を示した斜視図である。
【図７】第２のコマ玩具の半部を示した縦断面図である。
【図８】コマ玩具を回転駆動させるランチャの一例を示した斜視図である。
【図９】第１のコマ玩具と第２のコマ玩具との結合構造を示した平面図である。
【発明を実施するための形態】
【００１４】
以下、本発明のコマ玩具を図面に示した実施形態に基づいて説明する。
【００１５】
《全体構成》
図１は、本実施形態のコマ玩具の１段階目の分解の様子を示した斜視図、図２は、コマ玩具の２段階目の分解の様子を示した斜視図である。
実施形態のコマ玩具１００は、いわゆるバトルゲームに使用することが可能な合体型のコマ玩具である。具体的には、このコマ玩具１００は、互いの衝突による衝撃力でコマ玩具１００が図１に示すように第１段階目で第１のコマ玩具１（以下「コマ玩具１」という。）と第２のコマ玩具１Ａ（以下「コマ玩具１Ａ」という。）とに分解され、図２に示すように第２段階目で第１のコマ玩具１がさらに分解要素に分解される。
なお、このコマ玩具１は単独でも使用することができる。また、コマ玩具１と第２のコマ玩具１Ａは分解された後も回り続けることができる。
【００１６】
《第１のコマ玩具１》
コマ玩具１は、図２に示すように、軸部１０、性能可変リング３０及び胴体４０を備えている。
【００１７】
《コマ玩具１の細部構成》
１．軸部１０について
図３は軸部１０を示した斜視図、図４は軸部１０の半部を示した断面斜視図である。ここでは半部のみを示したが、残りの半部も棒状軸１１を除いて同様の構造を有する。
軸部１０は、接地部である棒状軸１１、上下方向中間部に鍔１２、上部に円筒部１３を備えている。このうち鍔１２と円筒部１３とは一体に形成されている。
【００１８】
鍔１２及び円筒部１３には、前後に孔１４が１つずつ形成されている。また、円筒部１３には、左右に突出部１５が１ずつ形成されている。突出部１５の外面は鍔１２の外周面と面一となっている。 
【００１９】
円筒部１３の内側には円柱体１６が配置されている。円柱体１６は鍔１２の下に取り付けられた下板１０１に立設されている。この円柱体１６の上端には前後に爪１７が１つずつ形成されている。爪１７の下面は下向き面を構成する。円柱体１６の内部には棒状軸１１が上下動可能に設けられている。すなわち、棒状軸１１の上端部には、上下方向に長い長孔１１ａが形成され、棒状軸１１は、長孔１１ａに通したピン１０２によって円柱体１６に支持されている。この棒状軸１１は下板１０１を貫通して下板１０１の下方まで延びている。棒状軸１１の下端部は小径部１１ｂとなっており、小径部１１ｂの上端部には係合突起１１ｃが形成されている。この係合突起１１ｃは第１の係合部を構成している。
【００２０】
また、軸部１０は円筒状の押圧部材１８を備えている。この押圧部材１８は、円筒部１３の内側に円柱体１６の外周を取り囲むようにして設置されている。押圧部材１８の外周下端部には左右に脚部１８ａが１つずつ設けられている。脚部１８ａは、鍔１２と円筒部１３に亘って形成された孔１４に挿入されている。また、押圧部材１８は、コイルスプリング１９によって上方に付勢されている。そして、押圧部材１８は、脚部１８ａが孔１４の上縁で上方への移動が規制され、常態では、押圧部材１８の上端は円筒部１３の上端と同一高さ位置にある。 また、押圧部材１８の天井部の上面には、左右に半径方向に延びる凸条（突起）２１が１つずつ形成されている。
【００２１】
２．性能可変リング３０について
図５は、性能可変リング３０及び胴体４０の半部を示す断面斜視図である。ここでは半部のみを示したが、残りの半部も識別用部品６０を除いて同様の構造を有する。
この実施形態では、性能可変リング３０としてフライホイールが用いられている。この性能可変リング３０は板状を成している。この性能可変リング３０の底面には軸部１０の鍔１２を下方から収容可能な環状段部３１が形成されている。また、この性能可変リング３０の上面には、左右に上方に向けて張り出す突出部３２が１つずつ形成されている。各突出部３２の下側部分には、軸部１０の突出部１５を下方から収容可能な凹部３３が形成されている。また、性能可変リング３０の上面には、各突出部３２の直ぐ外側に上方に延びる舌片３４が形成されている。
なお、この性能可変リング３０としては、フライホイールに代えて或いはフライホイールと一体的で、外周面に突出部があって相手方のコマ玩具を攻撃し易くしたものや、外周面に凹部があって相手方のコマ玩具からの攻撃を受け難いものであってもよい。
【００２２】
３．胴体４０について
図５に示すように、胴体４０の外周には凹凸４０ａが形成されている。また、胴体４０の下面には、性能可変リング３０の突出部３２を下方から収容可能な環状凹部４２が形成されている。 この環状凹部４２を区画形成する内周壁４３ａの内周面下端には、前後に半径方向内側に向けて張り出す爪４４が１つずつ突設されている。
また、内周壁４３ａの内周面の上下方向中間部には、左右に半径方向内側に向けて張り出す突起４７が１つずつ突設されている。
さらに、内周壁４３ａの下端面には、左右方向に、凹凸が連続して形成され上記凸条２１に噛み合う起伏部４５が形成されている。
また、胴体４０の環状凹部４２を区画形成する天井壁４３ｂには、性能可変リング３０の各舌片３４を下方から挿入可能な弧状スリット４６が形成されている。この弧状スリット４６の長さは舌片３４が十分に移動し得る長さとなっている。また、孤状スリット４６の一端部は、後述のランチャ５０の爪５４ｂが縁下に係合するように狭幅となっている。
【００２３】
４．コマ玩具１の組立方法
次に、コマ玩具１の組立方法の一例を説明する。
まず、軸部１０の突出部１５を下方から性能可変リング３０の凹部３３に合致させるようにして、軸部１０と性能可変リング３０を嵌合状態に組み付ける。
次に、この組付け体を胴体４０に下方から近付ける。この際、上記組付け体の性能可変リング３０の舌片３４を胴体４０の弧状スリット４６の所定の端に合致させる。この状態は、軸部１０の爪１７と胴体４０の爪４４とは上下方向で重なっていない状態である。この状態が結合解除状態である。
その後、上記組付け体の軸部１０を胴体４０側に押圧する。すると、まず、性能可変リング３０が胴体４０の下面に押し当てられる。さらに、コイルスプリング１９が縮み、軸部１０の爪１７が胴体４０の爪４４よりも上方に相対的に押し上げられる。
そして、軸部１０を性能可変リング３０と一体的に胴体４０に対して舌片３４が上記所定の端とは反対側の端まで移動するまで回転させる。すると、軸部１０の爪１７と胴体４０の爪４４とが上下で重なった状態となる。そして、軸部１０から手を離すと、コイルスプリング１９の付勢力によって、軸部１０の爪１７の下面と胴体４０の爪４４の上面とが当接される 軸部１０の爪１７の下面と胴体４０の爪４４の上面とが当接された状態が結合状態である。これにより、軸部１０と、性能可変リング３０及び胴体４０が結合され、コマ玩具１が組み立てられる。
【００２４】
《コマ玩具１Ａの構成》
１．全体
図６はコマ玩具１Ａを示した斜視図、図７はコマ玩具１Ａの半部を示した断面斜視図である。ここでは半部のみを示したが、残りの半部もコイルスプリング１１４を除いて同様の構造を有する。
コマ玩具１Ａは、筒状軸１１０と胴体１５０とを備えている。筒状軸１１０は胴体１５０に対して上下動可能に設けられている。
【００２５】
２．胴体１５０について
胴体１５０は、略円盤状となっていて、上面には、軸心と同心的な円形凹部１５１が形成されている。この円形凹部１５１には、軸部１０の下板１０１が着座する。円形凹部１５１の床には、中央に軸心と同心的な円形孔１５２が形成されている。この円形孔１５２には上記棒状軸１１が上方から挿通される。また、円形凹部１５１の床には、円形孔１５２を挟んで対峙する２つの箇所に軸心と同心的な弧状孔１５３が１つずつ形成されている。弧状孔１５３には、周方向中間部に半径方向外方に拡がる切欠き１５３ａが形成されている。
胴体１５０の下面は、下方に向けて徐々に縮径するように逆円錐状の傾斜面となっている。胴体１５０の下面には、中央に軸心と同心的で上記円形孔１５２に連なる円形孔１５４が形成されている。この円形孔１５４には筒状軸１１０が挿入される。
【００２６】
３．筒状軸１１０について
筒状軸１１０は全体として略円筒状に形成されている。筒状軸１１０の下面は逆円錐状に形成されている。筒状軸１１０の下面には、中央に軸心と同心的な円形孔１１１が形成されている。この円形孔１１１には上記棒状軸１１の小径部１１ｂが上方から挿入される。また、筒状軸１１０の底壁には、図７の拡大図に示すように、上面に上記係合突起１１ｃに係合可能な係合凹部１１２が形成されている。この係合凹部１１２は第２の係合部を構成している。
【００２７】
筒状軸１１０の上半部は、上下方向に延びる２つのスリット１１０ａ，１１０ａによって区画された２つの弧状壁１１０ｂ，１１０ｂとなっている。各弧状壁１１０ｂは対応の弧状孔１５３に下方から挿入される。また、各弧状壁１１０ｂの周方向中間部には、上端外側に突起１１０ｃ（図９）が形成されている。突起１１０ｃの下面は下向き面を構成する。各突起１１０ｃは対応の切欠き１５３ａに下方から挿入される。
これによって筒状軸１１０は、胴体１５０に対して上下動可能となっている。
なお、筒状軸１１０には、図示はしないが、外周に鍔が形成され、一方、胴体１５０には当該鍔を下方から支持して抜けを防止するための抜止め防止部材が付設されている。
【００２８】
また、筒状軸１１０内にはコイルスプリング１１４が設けられている。コイルスプリング１１４は、筒状軸１１０の底壁の上面と円形孔１５４の上壁との間に配設され、筒状軸１１０を下方に付勢している。
【００２９】
《コマ玩具１とコマ玩具１Ａとの結合》
コマ玩具１とコマ玩具１Ａとは、上下方向から互いに突き合わされ、棒状軸１１と円形孔１５２とを合致させるようにして円形凹部１５１にコマ玩具１の軸部１０つまり下板１０１を着座させる。このときには、棒状軸１１は下降位置にあるが筒状軸１１０の下端からは突出していない。
次に、手で筒状軸１１０をコイルスプリング１１４の付勢力に抗して強く胴体１５０に押し込む。これによって、コマ玩具１Ａの本体（胴体１５０）に対して筒状軸１１０が上動して、突起１１０ｃがコマ玩具１側の凸部１０１ｂの上面と係合する。凸部１０１ｂの上部上面が形成された部分は弾性を有している。この凸部１０１ｂの上面は上向き面を構成する。また、筒状軸１１０が上動によって、係合突起１１ｃと係合凹部１１２とが係合する。これにより、コマ玩具１の軸部１０とコマ玩具１Ａとの相対回転が不能となる。一方、係合突起１１ｃと係合凹部１１２との係合は棒状軸１１が接地されたときに解除される。これにより、コマ玩具１の軸部１０とコマ玩具１Ａとの相対回転が可能となる。
なお、凸部１０１ｂは、図９に示すように、具体的には、下板１０１の上下方向に延びる溝１０１ａの周方向中程に形成されている。係合突起１１ｃと係合凹部１１２との係合は、コマ玩具１の軸部１０とコマ玩具１Ａとが相対回転したときに解除され、筒状軸１１０はコイルスプリング１１４の付勢力によってコマ玩具１Ａに対して相対的に下方に突出する。
【００３０】
《遊び方》
続いて、このコマ玩具１００の使用方法を説明する。
この場合のコマ玩具１００の回転力のチャージは、図８に示すようなランチャ５０によって行われる。このランチャ５０は、ハンドル５１を引くとコマホルダ５３が回転される仕組みとなっている。
このコマホルダ５３には、フォーク５４が形成され、このフォーク５４は胴体４０の弧状スリット４６に差し込まれ、孤状スリット４６の縁下に爪５４ｂが係合される。そして、ランチャ５０のハンドル５１を引き切ると、円板ひいてはコマホルダ５３の回転が停止する一方で、コマ玩具１は慣性力によって尚も回転するので、フォーク５４の傾斜面５４ａを倣ってコマ玩具１がコマホルダ５３から外れる。
【００３１】
このようにして発射されたコマ玩具１００は所定のフィールドで回転させられ、相手方のコマ玩具１００に衝突すると、衝突による衝撃力や擦れ等によって、胴体４０には、軸部１０及び性能可変リング３０の回転方向とは反対の方向の力（外部衝撃）が作用する。これによって、第１のコマ玩具１とコマ玩具１Ａとが分解される（第１段目の分解）。第１段目の分解の後も、コマ玩具１とコマ玩具１Ａとは回り続ける。そして、コマ玩具１の胴体４０に外部衝撃が作用すると、胴体４０は軸部１０及び性能可変リング３０の回転方向に対して反対の方向に相対的回転する。すると、胴体４０の起伏部４５に凸条２１が噛合し、凸条２１にはコイルスプリング１９の付勢力が作用するので、衝突による衝撃力が作用する毎に、胴体４０に対して軸部１０が相対回転して噛み合い位置を変更することにより、結合解除位置に達すると、胴体４０の爪４４が軸部１０の爪１７から外れるため、コイルスプリング１９の付勢力によって胴体４０が軸部１０から離反する（第２段目の分解）。そして、図１において、右側に示すように、コマ玩具１は分解される。
【００３２】
《本実施形態の変形例》
以上、本発明の実施形態について説明したが、本発明は、かかる実施形態に限定されるものではなく、その要旨を逸脱しない範囲で、種々変形が可能であることは言うまでもない。
【００３３】
例えば、上記実施形態では、上側部分が第１のコマ玩具１の軸部１０、下側部分が第２のコマ玩具１Ａの場合を示したが、上側部分に棒状軸が設けられる部位であれば、１つのコマ玩具にも適用できる。
【００３４】
また、上記実施形態では、自重によって棒状軸１１が下降するものについて説明したが、スプリングの付勢によって下降させてもよい。このようにすれば、コマ玩具１００が直立していない状態でも相対回転を抑止できる。
【００３５】
さらに、上記実施形態では、棒状軸１１の係合突起１１ｃを筒状軸１１０の係合凹部１１２に係合させたが、係合突起１１ｃを胴体１５０に係合させるようにしてもよい。
【符号の説明】
【００３６】
１００    コマ玩具
１    第１のコマ玩具
１Ａ    第２のコマ玩具
１１    棒状軸
１１０    筒状軸
【図１】
2020137536.tif 000003
【図２】
2020137536.tif 000004
【図３】
2020137536.tif 000005
【図４】
2020137536.tif 000006
【図５】
2020137536.tif 000007
【図６】
2020137536.tif 000008
【図７】
2020137536.tif 000009
【図８】
2020137536.tif 000010
【図９】
2020137536.tif 000011